(57)【要約】【課題】  保護パネル部材が破損する虞が少ない表示装置を提供する。【解決手段】  表示パネル１０は、画像を表示する。保護パネル部材２０は、画像を透視可能である。ケース体３０は、保護パネル部材２０の外周に設けられる。表示パネル２０は、透光性接着剤１５にて保護パネル部材２０に接着されている。ケース体３０は、保護パネル部材２０の外周部を覆う弾性樹脂材３１と、弾性樹脂材３１を覆う硬質樹脂材３２と、を有する。【選択図】  図２
2015072380.tif 000002
【特許請求の範囲】
【請求項１】
画像を表示する表示パネルと、前記画像を透視可能である保護パネル部材と、前記保護パネル部材の外周に設けられたケース体と、を備え、前記表示パネルが透光性接着剤にて前記保護パネル部材に接着されている表示装置であって、
前記ケース体は、保護パネル部材の外周部を覆う弾性樹脂材と、前記弾性樹脂材を覆う硬質樹脂材と、を有することを特徴とする表示装置。
【請求項２】
前記保護パネル部材は、正面視でコーナー部分が円弧形状になっているカバープレートを有することを特徴とする請求項１に記載の表示装置。
【請求項３】
前記保護パネル部材は、カバープレートと、前記カバープレートの前面に貼着されたフィルムと、を有することを特徴とする請求項１に記載の表示装置。
【請求項４】
少なくとも前記保護パネル部材の前面では、前記弾性樹脂材が前記硬質樹脂材で覆われて、前記弾性樹脂材が露出していないことを特徴とする請求項１に記載の表示装置。
【発明の詳細な説明】
【技術分野】
【０００１】
本発明は、画像を表示する表示パネルを備えた表示装置に関するものである。
【背景技術】
【０００２】
従来の表示装置として、例えば特許文献１に開示されたものがある。斯かる表示装置は、透明カバープレートと液晶表示器とをＵＶ硬化型接着剤で接着させた構造になっている。これにより、透明カバープレートと空気層との間がＵＶ硬化型接着剤で満たされ、従来存在した空気層との界面での反射が減少して画質が向上する。
【先行技術文献】
【特許文献】
【０００３】
【特許文献１】特開２００９−２５８３３号公報
【発明の概要】
【発明が解決しようとする課題】
【０００４】
しかしながら、特許文献１記載の表示装置は、透明カバープレートとして無機ガラスが用いられ、この透明カバープレートと液晶表示器との間のＵＶ硬化型接着剤による密着性を確保するものであるが、透明カバープレートを車両用メータのケース体に用いた場合、メータケースに透明カバープレートを接着剤によって取り付けることになるが、生産性を考慮すると改善の余地がある。このような問題を解決するため、透明カバープレートを金型内にセットし、ケース体を射出成型し、ケース体と透明カバープレートとを一体成型し、生産性を向上させることが考えられるが、成型圧による割れや成型後の異種材料による熱膨張係数の違いによって破損する虞があった。
【課題を解決するための手段】
【０００５】
本発明は、画像を表示する表示パネルと、前記画像を透視可能である保護パネル部材と、前記保護パネル部材の外周に設けられたケース体と、を備え、前記表示パネルが透光性接着剤にて前記保護パネル部材に接着されている表示装置であって、前記ケース体は、保護パネル部材の外周部を覆う弾性樹脂材と、前記弾性樹脂材を覆う硬質樹脂材と、を有するものである。
【０００６】
また、本発明は、前記保護パネル部材は、正面視でコーナー部分が円弧形状になっているカバープレートを有するものである。
【０００７】
また、本発明は、前記保護パネル部材は、カバープレートと、前記カバープレートの前面に貼着されたフィルムと、を有するものである。
【０００８】
また、本発明は、少なくとも前記保護パネル部材の前面では、前記弾性樹脂材が前記硬質樹脂材で覆われて、前記弾性樹脂材が露出していないものである。
【発明の効果】
【０００９】
保護パネル部材の外周部を覆う弾性樹脂材を設けることにより、保護パネル部材が破損する虞が少ない。
【図面の簡単な説明】
【００１０】
【図１】本発明の第一実施形態を示す正面図。
【図２】同上実施形態を示す断面図。
【図３】同上実施形態を示す要部拡大断面図。
【図４】同上実施形態を示すブロック図。
【図５】本発明の第二実施形態を示す要部拡大断面図。
【図６】本発明の第三実施形態を示す断面図。
【図７】本発明の第四実施形態を示す断面図。
【発明を実施するための形態】
【００１１】
以下、添付図面に基づいて、本発明の一実施形態を説明する。図１乃至図４は、第一実施形態を示すものである。
【００１２】
車両用表示装置は、液晶表示パネル１０，カバープレート２０，ケース体３０，回路基板４０，蓋体５０，中ケース６０を備えている。液晶表示パネル１０は、ＴＦＴ型カラー液晶モジュールからなるものであり、車両速度等の車両情報を表示する。液晶表示パネル１０は、マルチドットやセグメントタイプのものであっても良く、単色表示やフルカラー表示は問わない。また、表示パネルはＥＬモジュールであっても良い。液晶表示パネル１０は、透光性接着剤１５にてオプティカルボンディングされており、カバープレート２０の後面に密着されている。透光性接着剤１５は、ＵＶ硬化型の接着剤である。
【００１３】
カバープレート２０は平板形状の透明な無機ガラスからなるものであり、正面視で矩形になっている。カバープレート２０はケース体３０にインサート成型されている。カバープレート２０の後面には黒色印刷層からなる遮光部２１が形成されており、この遮光部２１は、液晶表示パネル１０の画像を透視可能にする矩形の窓部２１ｂと、警告表示部となる円形の窓部２１ｃとを有している。
【００１４】
ケース体３０は、弾性樹脂材３１及び硬質樹脂材３２を有している。弾性樹脂材３１はエストラマー樹脂からなるものであり、図３に示すように、カバープレート２０の外周部が弾性樹脂材３１によって覆われている。ケース体３０の硬質樹脂材３２は、ＡＥＳ等の樹脂からなるものであり、カバープレート２０の弾性樹脂材を覆うように一体に形成されている。
【００１５】
ケース体３０は、カバープレート２０の側端面を覆うように、カバープレート２０の外周を覆っている。ケース体３０内の空間には、液晶表示パネル１０，回路基板５０及び中ケース６０が収容されている。ケース体３０には、矩形の開口部３０ａが形成されている。
【００１６】
回路基板４０は、ガラスエポキシ樹脂からなる基材に銅箔からなる配線パターンを形成したものであり、発光素子４１が搭載されている。発光素子４１は、遮光部２１の窓部２１ｃに対応する個所に配置されている。蓋体５０は、ＡＥＳやＰＰ等の樹脂からなるものである。蓋体５０は、ビス５１によってケース体３０の後面に固定されている。中ケース６０は、不透明な樹脂（ＰＰ等）からなるものであり、この中ケース６０の後面側に回路基板４０が配置されている。中ケース６０は、発光素子４１に対応する個所に形成された貫通孔６１を有している。
【００１７】
図４は、車両用表示装置の電気的構成を示すブロック図である。マイコン１００は、ＣＰＵ１０１，ＲＯＭ１０２，ＲＡＭ１０３を有している。速度センサ１１０は、車両速度を検出し、マイコン１００に速度データを出力する。マイコン１００は、ＲＯＭ１０２に格納されている所定のプログラムに基づいて、液晶表示パネル１０，発光素子４１を駆動する。
【００１８】
図５は第二実施形態を示すものである。第二実施形態は、第一実施形態に比して硬質樹脂材３３だけが異なり、他の構成は第一実施形態と同様である。
【００１９】
ケース体３０は、弾性樹脂材３１及び硬質樹脂材３３を有している。ケース体３０の硬質樹脂材３３は、ＡＥＳ等の樹脂からなるものであり、カバープレート２０の弾性樹脂材３１を覆うように一体に形成されている。カバープレート２０の前面側では弾性樹脂材３１が硬質樹脂材３３で覆われて、弾性樹脂材３１が露出していない。なお、カバープレート２０の前面側だけでなく、後面においても弾性樹脂材３１を硬質樹脂材３３で覆っても良い。
【００２０】
第一，第二実施形態のようにカバープレート２０の外周部を覆う弾性樹脂材３１，３３を設けることにより、カバープレート２０に加わる応力が緩和されるため、カバープレート２０が破損する虞が少ない。
【００２１】
なお、本発明は、第一，第二実施形態に限定されるものではなく、種々の変形が可能である。例えば、図６に示す第三実施形態のように、カバープレート２２の４隅個所を円弧形状にしても良い。また、図７に示す第四実施形態のように、カバープレート２０の前面にフィルム２５を貼着したものを保護パネル部材としても良い。フィルム２５としては、反射防止，防汚，停電防止，赤外線カット等の機能を有するものが考えられる。
【符号の説明】
【００２２】
１０  液晶表示パネル（表示パネル）
１５  透光性接着剤
２０  カバープレート（保護パネル部材）
２２  カバープレート（保護パネル部材）
２５  フィルム
３０  ケース体
３１  弾性樹脂材
３２  硬質樹脂材
３３  硬質樹脂材
【図１】
2015072380.tif 000003
【図２】
2015072380.tif 000004
【図３】
2015072380.tif 000005
【図４】
2015072380.tif 000006
【図５】
2015072380.tif 000007
【図６】
2015072380.tif 000008
【図７】
2015072380.tif 000009